【手続補正書】
【提出日】平成16年7月20日(2004.7.20)
【手続補正１】
【補正対象書類名】特許請求の範囲
【補正対象項目名】全文
【補正方法】変更
【補正の内容】
【特許請求の範囲】
【請求項１】
情報入力装置であって、
前記入力装置による動作の複合機能モードの第１機能モードを選択する機能モード制御と、
前記第１機能モード内の各ドメインレベルがドメインレベル値の組に関連する複合ドメインレベルの１つを選択するドメインコントロールと、
前記ドメインコントロールから分離し且つ別個であり、選択されたドメインレベル及び機能モードに関連する前記ドメインレベル値の組に割り当てられる複数の入力キーであって、各入力キーは、前記ドメインレベル値を表し、当該入力キーの作動に応答する前記入力装置によって伝送される信号と関連するドメインレベル値に割り当てられる、複数の入力キーと、
現に選択された機能モード及びドメインレベルの組み合わせに対する各入力キーに関連するドメインレベル値を示す機能固有ディスプレイであって、前記入力キー及びドメインコントロールは、前記入力装置によって同時に提示される、機能固有ディスプレイと
を含むことを特徴とする情報入力装置。
【請求項２】
入力キーに割り当てられる前記ドメインレベル値は、各機能モードに関連するソフトウェアによって決定されることを特徴とする請求項１に記載の発明。
【請求項３】
入力キーに関連する前記ドメインレベル値は、前記入力装置のユーザによって割り当てられることを特徴とする請求項１に記載の発明。
【請求項４】
ソフトウェア駆動機能モードをさらに含み、ソフトウェアアプリケーションは、入力キーのドメインレベル値を指定することを特徴とする請求項１に記載の発明。
【請求項５】
前記機能固有ディスプレイは、前記入力キーのそれぞれの現在のドメインレベル値の視覚的表示を提供することを特徴とする請求項１に記載の発明。
【請求項６】
前記機能固有ディスプレイは、前記入力キーのそれぞれの代替ドメインレベル値の視覚的表示を提供することを特徴とする請求項１に記載の発明。
【請求項７】
各ディスプレイは、単一の入力キーに関連して、当該単一の入力キーの現在のドメインレベル値の視覚的表示を提供することを特徴とする請求項１に記載の発明。
【請求項８】
単一の入力キーに関連する各ディスプレイは、前記入力キーの代替ドメインレベル値の視覚的表示を提供することを特徴とする請求項１に記載の発明。
【請求項９】
各ディスプレイは、タッチスクリーンを具えていることを特徴とする請求項１に記載の発明。
【請求項１０】
前記機能モードコントロールは、前記複合機能モードの機能モードを選択するコントロールの第１組をさらに含むことを特徴とする請求項１に記載の発明。
【請求項１１】
前記機能モードコントロールに関連するスクリーンをさらに含み、前記スクリーンは、前記機能モードコントロールに関連する機能を示すことを特徴とする請求項１０に記載の発明。
【請求項１２】
前記ドメインコントロールは、機能モード内の前記ドメインレベルを選択する継続的に存在するコントロールの第２組をさらに含むことを特徴とする請求項１に記載の発明。
【請求項１３】
各ドメインレベルコントロールに関連するスクリーンをさらに含み、前記スクリーンは、ドメインレベル値コントロールに関連するドメインレベル値を示すことを特徴とする請求項１２に記載の発明。
【請求項１４】
挿入可能電子回路カードのスロットをさらに含み、前記スロットは、挿入可能電子回路カードに使用される標準設計の１つに従って構成されることを特徴とする請求項１に記載の発明。
【請求項１５】
前記挿入可能電子回路カードスロットは、ＰＣＭＣＩＡ標準規格に準拠することを特徴とする請求項１４に記載の発明。
【請求項１６】
公衆交換電話網（ＰＳＴＮ）の一部である電話回線とインターフェースするように構成されたポートをさらに含むことを特徴とする請求項１に記載の発明。
【請求項１７】
情報担持媒体に記憶されたデータを有するカードからデータを受け取るカード挿入スロットをさらに含むことを特徴とする請求項１に記載の発明。
【請求項１８】
前記情報担持媒体は、磁気ストリップ符号化済みカードであることを特徴とする請求項１７に記載の発明。
【請求項１９】
前記情報担持媒体は、バーコード符号化済みカードであることを特徴とする請求項１７に記載の発明。
【請求項２０】
前記情報担持媒体は、バイオメトリクスによる符号化済みカードであることを特徴とする請求項１６に記載の発明。
【請求項２１】
各入力キーは、スタイラスを挿入することができる外部穴を画定して選択された入力キーを作動させることを特徴とする請求項１に記載の発明。
【請求項２２】
メモリカードを受けるように構成された拡張スロットをさらに含むことを特徴とする請求項１に記載の発明。
【請求項２３】
前記入力装置の前記機能から独立した定義済み動作を有する複数の固定動作キーをさらに含むことを特徴とする請求項１に記載の発明。
【請求項２４】
固定キーの前記定義済み動作は、Ｔａｂ、Ｓｈｉｆｔ、スペース、Ｅｎｔｅｒ、Ｄｅｌｅｔｅ、Ｂａｃｋｓｐａｃｅ、右マウスクリック、左マウスクリック、およびスクロールからなる群から選択されることを特徴とする請求項２３に記載の発明。
【請求項２５】
前記機能モードコントロールは、前記情報入力装置の前記第１機能モードを選択する複数のユーザインターフェースキーを含むことを特徴とする請求項１に記載の発明。
【請求項２６】
前記第１機能モードは、英語英数字キーボード、非英語英数字キーボード、電話、電卓、カードリーダ、テキスト編集、インターネットナビゲーション、および特定のソフトウェアアプリケーションの使用に関連するアプリケーション固有モードからなる群から選択されることを特徴とする請求項１に記載の発明。
【請求項２７】
データを無線で送信するポートをさらに含むことを特徴とする請求項１に記載の発明。
【請求項２８】
前記ポートは赤外線ポートであることを特徴とする請求項２７に記載の発明。
【請求項２９】
前記入力装置によってサポートされた動作の複合機能モードの動作の第２の機能モードをさらに含み、
前記ドメインコントロールは、前記第２機能モード内の複合ドメインレベルの１つであって、各ドメインレベルがドメインレベル値の組に関連するドメインレベルを選択することを促進し、
前記第２機能モードは、英語英数字キーボード、非英語英数字キーボード、電話、電卓、カードリーダ、テキスト編集、インターネットナビゲーション、および特定のソフトウェアアプリケーションの使用に関連するアプリケーション固有モードからなる群から選択される
ことを特徴とする請求項１に記載の発明。
【請求項３０】
前記第２機能モードは、前記第１機能モードと同時に動作することを特徴とする請求項２９に記載の発明。
【請求項３１】
前記ドメインコントロールの少なくとも一部は、前記入力キーと別々のユニットに配置され、前記別々のユニットは、前記入力キーに結合されることを特徴とする請求項１に記載の発明。
【請求項３２】
前記情報入力装置は、第２装置の一体化された構成要素であることを特徴とする請求項１に記載の発明。
【請求項３３】
前記第２装置は、自動車、航空機、ラップトップコンピュータ、ＰＤＡ、セル電話機、および家電製品からなる群から選択されることを特徴とする請求項３２に記載の発明。
【請求項３４】
複合機能モードの動作をサポートする多機能キーボードであって、
キーボードの内部構成要素を保護するハウジングを有するベースユニットであって、前記キーボードが、入力キーの組に関連してドメインレベル値を指定する第１ユーザインターフェースと、選択された機能モードの動作に関連する複合ドメインレベルの１つを示す第２ユーザインターフェースとを含む、ベースユニットと、
動作の各機能モードは、１つまたは複数のドメインレベルを定義し、各ドメインレベルは、入力キーの前記組に割り当てられた１つまたは複数のドメインレベル値を含む、少なくとも１つの動作の機能モードと、
選択された機能モードおよびドメインレベルに固有の命令およびデータに従って、同時に存在する前記第１ユーザインターフェースおよび前記第２ユーザインターフェースを駆動するプロセッサと
を含むことを特徴とする多機能キーボード。
【請求項３５】
前記第１ユーザインターフェースに割り当てられるドメインレベル値は、動作の機能モードに関連する前記ソフトウェアの動作によって決定されることを特徴とする請求項３４に記載の発明。
【請求項３６】
前記第１ユーザインターフェースに関連するドメインレベル値は、前記キーボードのユーザによって割り当てられることを特徴とする請求項３４に記載の発明。
【請求項３７】
ソフトウェア駆動の動作の機能モードをさらに含み、ソフトウェアアプリケーションは、入力キーのドメインレベル値を指定することを特徴とする請求項３４に記載の発明。
【請求項３８】
前記第２ユーザインターフェースは、前記第１ユーザインターフェースに割り当てられた現在のドメインレベル値の視覚的表示を提供することを特徴とする請求項３４に記載の発明。
【請求項３９】
前記第２ユーザインターフェースは、前記第１ユーザインターフェースに割り当てられた代替ドメインレベル値の視覚的表示を提供することを特徴とする請求項３４に記載の発明。
【請求項４０】
前記第１ユーザインターフェースの前記入力キーのそれぞれは、ドメインレベル値を前記第２インターフェースを介して選択されたドメインレベルに従って割り当てられることを特徴とする請求項３４に記載の発明。
【請求項４１】
前記第２ユーザインターフェースは、各プログラマブル入力キーに関連する前記ドメインレベル値を示すディスプレイであることを特徴とする請求項４０に記載の発明。
【請求項４２】
前記第１ユーザインターフェースの各ディスプレイは、入力キーに関連して各入力キーの現在のドメインレベル値の視覚的表示を提供することを特徴とする請求項４１に記載の発明。
【請求項４３】
入力キーに関連する各ディスプレイは、代替ドメインレベルでの入力キーの代替ドメインレベル値の視覚的表示を提供することを特徴とする請求項４１に記載の発明。
【請求項４４】
前記第２ユーザインターフェースは、タッチスクリーンからなることを特徴とする請求項３４に記載の発明。
【請求項４５】
挿入可能電子回路カードのスロットをさらに含み、前記スロットは、挿入可能電子回路カードに使用される標準設計の１つに従って構成されることを特徴とする請求項３４に記載の発明。
【請求項４６】
前記挿入可能電子回路カードスロットは、ＰＣＭＣＩＡ標準規格に準拠することを特徴とする請求項４５に記載の発明。
【請求項４７】
公衆交換電話網（ＰＳＴＮ）の一部である電話回線とインターフェースするように構成されたポートをさらに含むことを特徴とする請求項３４に記載の発明。
【請求項４８】
情報担持媒体に記憶されたデータを有するカードからデータを受け取るカード挿入スロットをさらに含むことを特徴とする請求項３４に記載の発明。
【請求項４９】
前記情報担持媒体は、磁気ストリップ符号化済みカードであることを特徴とする請求項４８に記載の発明。
【請求項５０】
前記情報担持媒体は、バーコード符号化済みカードであることを特徴とする請求項４８に記載の発明。
【請求項５１】
前記情報担持媒体は、バイオメトリクスによる符号化済みカードであることを特徴とする請求項４８に記載の発明。
【請求項５２】
前記第１ユーザインターフェースは、スタイラスを挿入することができる外部穴を画定して選択されたプログラマブル入力キーを作動させることを特徴とする請求項３４に記載の発明。
【請求項５３】
メモリカードを受けるように構成された拡張スロットをさらに含むことを特徴とする請求項３４に記載の発明。
【請求項５４】
前記キーボードの動作の前記機能モードから独立した定義済み動作を有する１つまたは複数の固定動作キーをさらに含むことを特徴とする請求項３４に記載の発明。
【請求項５５】
固定キーの前記定義済み動作は、Ｔａｂ、Ｓｈｉｆｔ、スペース、Ｅｎｔｅｒ、Ｄｅｌｅｔｅ、Ｂａｃｋｓｐａｃｅ、右マウスクリック、左マウスクリック、およびスクロールからなる群から選択されることを特徴とする請求項３４に記載の発明。
【請求項５６】
前記キーボードの動作の機能モードを選択する複数のユーザインターフェースキーをさらに含むことを特徴とする請求項３４に記載の発明。
【請求項５７】
動作の機能モードは、英語英数字キーボード、非英語英数字キーボード、電話、電卓、カードリーダ、テキスト編集、インターネットナビゲーション、および特定のソフトウェアアプリケーションの使用に関連するアプリケーション固有モードからなる群から選択されることを特徴とする請求項３４に記載の発明。
【請求項５８】
データを無線で送信するポートをさらに含むことを特徴とする請求項３４に記載の発明。
【請求項５９】
前記ポートは赤外線ポートであることを特徴とする請求項５８に記載の発明。
【請求項６０】
情報入力装置を動作させる方法であって、前記情報入力装置が、ドメインコントロールによって選択可能な複合ドメインレベルであって各ドメインレベルがドメインレベル値を含む複合ドメインレベルを有する動作の１つまたは複数の機能モードと、前記ドメインコントロールから分離し且つ別個であり、現在の機能モードの動作および現在のドメインレベルに従って割り当てられるドメインレベル値を有する複数の入力キーと、前記入力キーに関連する前記ドメインレベル値を示すディスプレイとを含み、前記方法は、
前記情報入力装置の動作の機能モードを選択する第１選択ステップと、
前記ドメインコントロールを通して、前記選択された動作のモード内でドメインレベルを選択する第２選択ステップと、
前記ドメインレベルに応答するドメインレベル値に関連して、１つまたは複数の前記入力キーを作動させるステップと
を含むことを特徴とする方法。